(57)【特許請求の範囲】
【請求項１】
災害が発生した場合に広告情報に代えて災害情報を出力する情報出力装置であって、
ウェブページの第１の表示領域に表示させる第１の広告コンテンツと、前記ウェブページの第２の表示領域に表示させる第２の広告コンテンツとを記憶する広告コンテンツ記憶手段と、
広告コンテンツの送信要求を受信した場合に、災害が発生したか否かを判定する災害発生判定手段と、
前記ウェブページを閲覧するユーザの現在地を特定する特定手段と、
前記災害発生判定手段によって発生したと判定された災害が、前記特定手段によって特定された前記ユーザの現在地周辺において所定値よりも大きい災害レベルか否かを判定する災害レベル判定手段と、
前記災害発生判定手段によって災害が発生したと判定された場合に前記第１の広告コンテンツに代えて前記第１の表示領域に表示させる第１の災害情報コンテンツを生成し、さらに、前記災害レベル判定手段によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成手段と、
前記コンテンツ生成手段によって生成された前記第１および第２の災害情報コンテンツを記憶する災害情報コンテンツ記憶手段と、
前記災害発生判定手段によって災害が発生していないと判定された場合に、前記広告コンテンツ記憶手段に記憶された前記第１および第２の広告コンテンツを出力し、前記災害発生判定手段によって災害が発生したと判定され、かつ当該災害が前記災害レベル判定手段によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定手段によって災害が発生したと判定され、かつ当該災害が前記災害レベル判定手段によって前記ユーザの現在地周辺において所定値よりも大きい災害レベルであると判定された場合に、前記災害情報コンテンツ記憶手段に記憶された前記第１および第２の災害情報コンテンツを出力する出力手段と、を備え、
前記コンテンツ生成手段により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする情報出力装置。
【請求項２】
前記ユーザの現在地周辺の詳細な災害情報は、前記ユーザの現在地周辺の地域の災害レベルの情報、および／または、前記ユーザの現在地に対応する避難場所の地図の情報であることを特徴とする請求項１に記載の情報出力装置。
【請求項３】
複数の地点に設置された定点カメラのうち前記ユーザの現在地に対応する定点カメラからの中継映像を選択する選択手段を備え、
前記広告コンテンツ記憶手段は、
前記ウェブページの第３の表示領域に表示させる第３の広告コンテンツを記憶し、
前記出力手段は、
前記災害発生判定手段によって災害が発生していないと判定された場合に、前記広告コンテンツ記憶手段に記憶された前記第３の広告コンテンツを出力し、前記災害発生判定手段によって災害が発生したと判定され、かつ当該災害が前記災害レベル判定手段によって前記ユーザの現在地周辺において所定値よりも大きい災害レベルであると判定された場合に、前記第３の広告コンテンツに代えて前記選択手段によって選択された中継映像を出力する
ことを特徴とする請求項１又は２に記載の情報出力装置。
【請求項４】
前記第１の災害情報コンテンツは、ユーザの属性情報に応じた災害情報コンテンツであることを特徴とする請求項１〜３のいずれか１つに記載の情報出力装置。
【請求項５】
前記属性情報は、地域に係る情報であることを特徴とする請求項４に記載の情報出力装置。
【請求項６】
前記属性情報は、職業に係る情報であることを特徴とする請求項４に記載の情報出力装置。
【請求項７】
前記広告コンテンツおよび災害情報コンテンツはバナーコンテンツであることを特徴する請求項１〜６のいずれか１つに記載の情報出力装置。
【請求項８】
災害が発生した場合に広告情報に代えて災害情報を出力する情報出力プログラムであって、
ウェブページの第１の表示領域に表示させる第１の広告コンテンツと、前記ウェブページの第２の表示領域に表示させる第２の広告コンテンツとを広告コンテンツ記憶手段に記憶する広告コンテンツ記憶手順と、
広告コンテンツの送信要求を受信した場合に、災害が発生したか否かを判定する災害発生判定手順と、
前記ウェブページを閲覧するユーザの現在地を特定する特定手順と、
前記災害発生判定手順によって発生したと判定された災害が、前記特定手順によって特定された前記ユーザの現在地周辺において所定値よりも大きい災害レベルか否かを判定する災害レベル判定手順と、
前記災害発生判定手順によって災害が発生したと判定された場合に前記第１の広告コンテンツに代えて前記第１の表示領域に表示させる第１の災害情報コンテンツを生成し、さらに、前記災害レベル判定手順によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成手順と、
前記コンテンツ生成手順によって生成された前記第１および第２の災害情報コンテンツを災害情報コンテンツ記憶手段に記憶する災害情報コンテンツ記憶手順と、
前記災害発生判定手順によって災害が発生していないと判定された場合に、前記広告コンテンツ記憶手段に記憶された前記第１および第２の広告コンテンツを出力し、前記災害発生判定手順によって災害が発生したと判定され、かつ当該災害が前記災害レベル判定手順によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定手順によって災害が発生したと判定され、かつ当該災害が前記災害レベル判定手順によって前記ユーザの現在地周辺において所定値よりも大きい災害レベルであると判定された場合に、前記災害情報コンテンツ記憶手段に記憶された前記第１および第２の災害情報コンテンツを出力する出力手順との各手順をコンピュータに実行させ、
前記コンテンツ生成手順により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする情報出力プログラム。
【請求項９】
災害が発生した場合に広告情報に代えて災害情報を出力する情報出力方法であって、
コンピュータが、
ウェブページの第１の表示領域に表示させる第１の広告コンテンツと、前記ウェブページの第２の表示領域に表示させる第２の広告コンテンツとを広告コンテンツ記憶手段に記憶する広告コンテンツ記憶工程と、
広告コンテンツの送信要求を受信した場合に、災害が発生したか否かを判定する災害発生判定工程と、
前記ウェブページを閲覧するユーザの現在地を特定する特定工程と、
前記災害発生判定工程によって発生したと判定された災害が、前記特定工程によって特定された前記ユーザの現在地周辺において所定値よりも大きい災害レベルか否かを判定する災害レベル判定工程と、
前記災害発生判定工程によって災害が発生したと判定された場合に前記第１の広告コンテンツに代えて前記第１の表示領域に表示させる第１の災害情報コンテンツを生成し、さらに、前記災害レベル判定工程によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成工程と、
前記コンテンツ生成工程によって生成された前記第１および第２の災害情報コンテンツを災害情報コンテンツ記憶手段に記憶する災害情報コンテンツ記憶工程と、
前記災害発生判定工程によって災害が発生していないと判定された場合に、前記広告コンテンツ記憶手段に記憶された前記第１および第２の広告コンテンツを出力し、前記災害発生判定工程によって災害が発生したと判定され、かつ当該災害が前記災害レベル判定工程によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定工程によって災害が発生したと判定され、かつ当該災害が前記災害レベル判定工程によって前記ユーザの現在地周辺において所定値よりも大きい災害レベルであると判定された場合に、前記災害情報コンテンツ記憶手段に記憶された前記第１および第２の災害情報コンテンツを出力する出力工程と、を実行し、
前記コンテンツ生成工程により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする情報出力方法。
【発明の詳細な説明】
【技術分野】
【０００１】
本発明は、災害が発生した場合に災害情報を出力する災害情報出力プログラム、災害情報出力装置、および、災害情報出力方法に関し、特に、地震や津波などの災害が発生した場合に、適切なユーザに災害に係る情報を迅速かつ効率的に提供することができる災害情報出力プログラム、災害情報出力装置、および、災害情報出力方法に関する。
【背景技術】
【０００２】
近年、インターネットの利用が急拡大してきており、インターネットを介して提供されるウェブサイトの数も膨大なものとなってきている。また、ユーザが所望のウェブサイトを検索するためのディレクトリ型のウェブページ群も多数開発されている。
【０００３】
このディレクトリ型のウェブページ群においては、各カテゴリは階層構造を有している（たとえば、特許文献１を参照）。ユーザは、各カテゴリの階層構造を辿っていくことにより、所望のウェブサイトに効率的にアクセスすることができるようになる。
【０００４】
【特許文献１】特表２００１−５２２０９７号公報
【発明の開示】
【発明が解決しようとする課題】
【０００５】
しかしながら、上述した技術では、ユーザが災害情報と関連のないページを閲覧している場合、ユーザは災害情報を知ることができなかった。
【０００６】
また、地震の震度や津波の予想される大きさが小さい場合、その災害情報は全ユーザには必要でなく、地震の震源に近い一部の地域や鉄道事業のユーザや、津波の情報は漁業などの職業のユーザやマリンレジャーに興味のあるユーザに知らせることが要求される。
【０００７】
この発明は、上述した従来技術による問題点を解消するためになされたものであり、地震や津波などの災害が発生した場合に、適切なユーザに災害に係る情報を迅速かつ効率的に提供することができる情報出力装置、情報出力プログラム、および、情報出力方法を提供することを目的とする。
【課題を解決するための手段】
【０００８】
上述した課題を解決し、目的を達成するため、本発明は、災害が発生した場合に広告情報に代えて災害情報を出力する情報出力装置であって、ウェブページの第１の表示領域に表示させる第１の広告コンテンツと、前記ウェブページの第２の表示領域に表示させる第２の広告コンテンツとを記憶する広告コンテンツ記憶手段と、広告コンテンツの送信要求を受信した場合に、災害が発生したか否かを判定する災害発生判定手段と、前記ウェブページを閲覧するユーザの現在地を特定する特定手段と、前記災害発生判定手段によって発生したと判定された災害が、前記特定手段によって特定された前記ユーザの現在地周辺において所定値よりも大きい災害レベルか否かを判定する災害レベル判定手段と、前記災害発生判定手段によって災害が発生したと判定された場合に前記第１の広告コンテンツに代えて前記第１の表示領域に表示させる第１の災害情報コンテンツを生成し、さらに、前記災害レベル判定手段によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成手段と、前記コンテンツ生成手段によって生成された前記第１および第２の災害情報コンテンツを記憶する災害情報コンテンツ記憶手段と、前記災害発生判定手段によって災害が発生していないと判定された場合に、前記広告コンテンツ記憶手段に記憶された前記第１および第２の広告コンテンツを出力し、前記災害発生判定手段によって災害が発生したと判定され、かつ当該災害が前記災害レベル判定手段によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定手段によって災害が発生したと判定され、かつ当該災害が前記災害レベル判定手段によって前記ユーザの現在地周辺において所定値よりも大きい災害レベルであると判定された場合に、前記災害情報コンテンツ記憶手段に記憶された前記第１および第２の災害情報コンテンツを出力する出力手段と、を備え、前記コンテンツ生成手段により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする。
【０００９】
また、本発明は、上記発明において、前記ユーザの現在地周辺の詳細な災害情報は、前記ユーザの現在地周辺の地域の災害レベルの情報、および／または、前記ユーザの現在地に対応する避難場所の地図の情報であることを特徴とする。
【００１０】
また、本発明は、上記発明において、複数の地点に設置された定点カメラのうち前記ユーザの現在地に対応する定点カメラからの中継映像を選択する選択手段を備え、前記広告コンテンツ記憶手段は、前記ウェブページの第３の表示領域に表示させる第３の広告コンテンツを記憶し、前記出力手段は、前記災害発生判定手段によって災害が発生していないと判定された場合に、前記広告コンテンツ記憶手段に記憶された前記第３の広告コンテンツを出力し、前記災害発生判定手段によって災害が発生したと判定され、かつ当該災害が前記災害レベル判定手段によって前記ユーザの現在地周辺において所定値よりも大きい災害レベルであると判定された場合に、前記第３の広告コンテンツに代えて前記選択手段によって選択された中継映像を出力することを特徴とする。
【００１１】
また、本発明は、上記発明において、前記第１の災害情報コンテンツは、ユーザの属性情報に応じた災害情報コンテンツであることを特徴とする。
【００１２】
また、本発明は、上記発明において、前記属性情報は、地域に係る情報であることを特徴とする。
【００１３】
また、本発明は、上記発明において、前記属性情報は、職業に係る情報であることを特徴とする。
【００１５】
また、本発明は、上記発明において、前記広告コンテンツおよび災害情報コンテンツはバナーコンテンツであることを特徴する。
【００１６】
また、本発明は、災害が発生した場合に広告情報に代えて災害情報を出力する情報出力プログラムであって、ウェブページの第１の表示領域に表示させる第１の広告コンテンツと、前記ウェブページの第２の表示領域に表示させる第２の広告コンテンツとを広告コンテンツ記憶手段に記憶する広告コンテンツ記憶手順と、広告コンテンツの送信要求を受信した場合に、災害が発生したか否かを判定する災害発生判定手順と、前記ウェブページを閲覧するユーザの現在地を特定する特定手順と、前記災害発生判定手順によって発生したと判定された災害が、前記特定手順によって特定された前記ユーザの現在地周辺において所定値よりも大きい災害レベルか否かを判定する災害レベル判定手順と、前記災害発生判定手順によって災害が発生したと判定された場合に前記第１の広告コンテンツに代えて前記第１の表示領域に表示させる第１の災害情報コンテンツを生成し、さらに、前記災害レベル判定手順によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成手順と、前記コンテンツ生成手順によって生成された前記第１および第２の災害情報コンテンツを災害情報コンテンツ記憶手段に記憶する災害情報コンテンツ記憶手順と、前記災害発生判定手順によって災害が発生していないと判定された場合に、前記広告コンテンツ記憶手段に記憶された前記第１および第２の広告コンテンツを出力し、前記災害発生判定手順によって災害が発生したと判定され、かつ当該災害が前記災害レベル判定手順によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定手順によって災害が発生したと判定され、かつ当該災害が前記災害レベル判定手順によって前記ユーザの現在地周辺において所定値よりも大きい災害レベルであると判定された場合に、前記災害情報コンテンツ記憶手段に記憶された前記第１および第２の災害情報コンテンツを出力する出力手順との各手順をコンピュータに実行させ、前記コンテンツ生成手順により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする。
【００１７】
また、本発明は、害が発生した場合に広告情報に代えて災害情報を出力する情報出力方法であって、コンピュータが、ウェブページの第１の表示領域に表示させる第１の広告コンテンツと、前記ウェブページの第２の表示領域に表示させる第２の広告コンテンツとを広告コンテンツ記憶手段に記憶する広告コンテンツ記憶工程と、広告コンテンツの送信要求を受信した場合に、災害が発生したか否かを判定する災害発生判定工程と、前記ウェブページを閲覧するユーザの現在地を特定する特定工程と、前記災害発生判定工程によって発生したと判定された災害が、前記特定工程によって特定された前記ユーザの現在地周辺において所定値よりも大きい災害レベルか否かを判定する災害レベル判定工程と、前記災害発生判定工程によって災害が発生したと判定された場合に前記第１の広告コンテンツに代えて前記第１の表示領域に表示させる第１の災害情報コンテンツを生成し、さらに、前記災害レベル判定工程によって前記ユーザの現在地周辺において所定値よりも大きな災害レベルであると判定された場合に、前記ユーザの現在地周辺の詳細な災害情報を含み、かつ前記第２の広告コンテンツに代えて前記第２の表示領域に表示させる第２の災害情報コンテンツを生成するコンテンツ生成工程と、前記コンテンツ生成工程によって生成された前記第１および第２の災害情報コンテンツを災害情報コンテンツ記憶手段に記憶する災害情報コンテンツ記憶工程と、前記災害発生判定工程によって災害が発生していないと判定された場合に、前記広告コンテンツ記憶手段に記憶された前記第１および第２の広告コンテンツを出力し、前記災害発生判定工程によって災害が発生したと判定され、かつ当該災害が前記災害レベル判定工程によって前記ユーザの現在地周辺において所定値以下の災害レベルであると判定された場合に、前記災害情報コンテンツ記憶手段に記憶された前記第１の災害情報コンテンツおよび前記広告コンテンツ記憶手段に記憶された前記第２の広告コンテンツを出力し、前記災害発生判定工程によって災害が発生したと判定され、かつ当該災害が前記災害レベル判定工程によって前記ユーザの現在地周辺において所定値よりも大きい災害レベルであると判定された場合に、前記災害情報コンテンツ記憶手段に記憶された前記第１および第２の災害情報コンテンツを出力する出力工程と、を実行し、前記コンテンツ生成工程により生成される災害情報コンテンツは、ユーザによりクリックされた場合に、当該災害情報コンテンツでは表現できない詳細な災害情報を含んだウェブページが出力されるように当該ウェブページにリンクが張られたコンテンツであることを特徴とする。
【発明の効果】
【００２７】
本発明によれば、災害情報を含み、ウェブページに表示される広告コンテンツの位置に広告コンテンツと切り替えられて表示される災害情報コンテンツを生成し、生成した災害情報コンテンツを記憶し、記憶した災害情報コンテンツを広告コンテンツと切り替えて出力することとしたので、広告コンテンツを出力するのと同様にして災害情報コンテンツを出力することができ、地震や津波などの災害が発生した場合に、ユーザに災害に係る情報を迅速かつ効率的に提供することができるという効果を奏する。
【００２８】
また、本発明によれば、ユーザの属性情報に応じた災害情報コンテンツを出力することとしたので、ユーザの属性に応じて、ユーザに適した災害情報コンテンツを出力することができるという効果を奏する。
【００２９】
また、本発明によれば、上記属性情報は、地域に係る情報であることとしたので、災害発生地域とユーザの居住地域との間の距離などに応じて、ユーザに適した災害情報コンテンツを出力することができるという効果を奏する。
【００３０】
また、本発明によれば、上記属性情報は、職業に係る情報であることとしたので、ユーザの職業に応じて情報の種類などを変えることにより、ユーザに適した災害情報コンテンツを出力することができるという効果を奏する。
【００３１】
また、本発明によれば、上記災害情報コンテンツは、広告枠を見ている人に振り分けられ、地域、職業、趣味などのターゲッティング情報を活用することにより、必要な人にのみ災害情報を送ることができ、従来よりも必要な人に情報がいきわたるという効果を奏する。
【００３２】
また、本発明によれば、ユーザの現在地を特定し、特定した現在地に応じた災害情報コンテンツを生成することとしたので、ユーザの現在地に応じて、ユーザに適した災害情報コンテンツを提供することができるという効果を奏する。
【００３３】
また、本発明によれば、上記災害情報コンテンツは、避難場所の地図を少なくとも含むこととしたので、ユーザの現在地に応じて、ユーザに適した避難場所を報知することができるという効果を奏する。
【００３４】
また、本発明によれば、ウェブページに複数の広告コンテンツがある場合に、それぞれ異なる複数の災害情報コンテンツを各広告コンテンツと切り替えて出力することとしたので、地震や津波などの災害が発生した場合に、災害に係る多様な情報をユーザに迅速かつ効率的に提供することができるという効果を奏する。
【００３５】
また、本発明によれば、上記広告コンテンツおよび災害情報コンテンツはバナーコンテンツであることとしたので、バナー広告を出力するのと同様にして災害情報を出力することができ、地震や津波などの災害が発生した場合に、ユーザに災害に係る情報を迅速かつ効率的に提供することができるという効果を奏する。
【発明を実施するための最良の形態】
【００３６】
以下に添付図面を参照して、本発明に係る災害情報出力プログラム、災害情報出力装置、および、災害情報出力方法の好適な実施例を詳細に説明する。なお、以下では、災害情報を、地震に係る情報としているが、災害情報はこれに限定されるものではなく、津波、豪雨、豪雪、雷、台風、火山の噴火、洪水、土砂崩れなど、さまざまな情報であってよい。
【実施例１】
【００３７】
まず、本発明に係る災害情報出力処理の概念について説明する。図１は、本発明に係る災害情報出力処理の概念について説明する図である。
【００３８】
図１には、ディレクトリ型のウェブページ群における階層構造を有する各カテゴリ（「トップページ」、「天気」、「ニュース」、「気象学」、「企業間取引」、「オゾン層破壊」、「気象予報士」）が示されている。
【００３９】
ここで、「天気」および「ニュース」のカテゴリは、「トップページ」の下位のカテゴリであり、「気象学」および「企業間取引」は、「天気」の下位のカテゴリであり、「オゾン層破壊」および「気象予報士」は、「気象学」の下位のカテゴリとなっている。
【００４０】
そして、各カテゴリに属するウェブページには、当該ウェブページを閲覧するユーザ層に合わせて選択された画像データからなるバナー広告が配信される。図２は、バナー広告１０が表示されたウェブページ１１の一例を示す図である。図２に示すように、バナー広告１０はウェブページ１１の所定の位置に表示されている。
【００４１】
本発明においては、図１に示すように、地震が発生すると、地震情報を含んだ地震情報バナーが生成され、地震情報バナーがバナー広告と切り替えられて、各カテゴリに属するウェブページに配信される。
【００４２】
図３は、地震情報バナー２０が表示されたウェブページ２１の一例を示す図である。図３に示すように、地震が発生すると、地震情報バナー２０が生成され、図２に示したバナー広告１０が表示されていた位置に、生成された地震情報バナー２０がバナー広告１０の代わりに表示される。
【００４３】
なお、地震情報バナー２０は、詳細な地震情報を含んだウェブページとリンクが張られている。すなわち、この地震情報バナー２０が、ユーザによるマウス等の操作によりクリックされると、詳細な地震情報が掲載されたウェブページにジャンプし、詳細な地震情報が表示される。
【００４４】
これにより、表示面積などで制約のある災害情報コンテンツでは表現できない詳細情報を、詳細情報を知りたいユーザに迅速かつ効率的に提供することが可能となる。
【００４５】
つぎに、本実施例１に係る災害情報出力システムの機能構成について説明する。図４は、本実施例１に係る災害情報出力システムの機能構成を示す図である。
【００４６】
図４に示すように、この災害情報出力システムは、インターネット端末３０ａ〜３０ｃ、災害情報提供サーバ４０、広告配信システム５０がインターネット６０を介して接続されている。
【００４７】
インターネット端末３０ａ〜３０ｃは、ウェブページを閲覧するウェブブラウザが搭載された端末装置である。災害情報提供サーバ４０は、気象庁などに設置され、地震が発生した場合に広告配信システム５０に対して地震情報を送信するサーバ装置である。
【００４８】
広告配信システム５０は、災害情報提供サーバ４０から地震情報を受信した場合に、地震情報バナーを生成し、バナー広告が表示されるウェブページの位置に、バナー広告と切り替えて地震情報バナーを表示させる。
【００４９】
この広告配信システム５０においては、ウェブサーバ７０ａ〜７０ｃ、災害情報受信サーバ８０、広告配信サーバ９０が、ＬＡＮ（Local Area Network）１００を介して接続されている。
【００５０】
また、ウェブサーバ７０ａ〜７０ｃ、および、災害情報受信サーバ８０は、インターネット６０を介して、インターネット端末３０ａ〜３０ｃ、および、災害情報提供サーバ４０と接続されている。
【００５１】
ウェブサーバ７０ａ〜７０ｃは、ウェブページを表示するため、インターネット端末３０ａ〜３０ｃに搭載されたウェブブラウザからウェブページのデータの送信要求を受け付けた場合に、広告配信サーバ９０に対してバナー広告のデータを送信するよう要求し、受信したバナー広告のデータを埋め込んだウェブページのデータをインターネット端末３０ａ〜３０ｃに出力するサーバ装置である。
【００５２】
このウェブページのデータの送信要求と、バナー広告のデータの送信要求とには、ウェブページのデータの送信要求をおこなったウェブブラウザを識別するＩＤ番号の情報が含まれている。このＩＤ番号は、個々のウェブブラウザに重複がないように割り当てられているものである。以下では、ユーザを識別する識別情報として、このＩＤ番号が用いられる。
【００５３】
このデータの送信要求のなかにはCookie情報としてユーザの地域や職業や趣味などの属性も含ませ、この属性を使って災害情報を表示するかどうか判断し、必要な人にのみ災害情報を送信することが可能となる。
【００５４】
また、ウェブサーバ７０ａ〜７０ｃは、広告配信サーバ９０からバナー広告の代わりに地震情報バナーを受信した場合に、バナー広告が表示される位置にバナー広告の代わりに地震情報バナーが表示されるようにウェブページのデータを構成し、そのように構成されたウェブページのデータをインターネット端末３０ａ〜３０ｃに出力する。
【００５５】
さらに、ウェブサーバ７０ａ〜７０ｃは、インターネット端末３０ａ〜３０ｃに出力したウェブページのバナー広告がユーザによるマウス等の操作によりクリックされ、バナー広告にリンクが設定されたウェブページのデータの送信要求をインターネット端末３０ａ〜３０ｃから受信した場合には、そのウェブページのデータをインターネット端末３０ａ〜３０ｃに出力する。
【００５６】
また、ウェブサーバ７０ａ〜７０ｃは、地震情報バナーがクリックされ、詳細な地震情報を含んだウェブページのデータの送信要求をインターネット端末３０ａ〜３０ｃから受信した場合には、そのウェブページのデータをインターネット端末３０ａ〜３０ｃに出力する。
【００５７】
災害情報受信サーバ８０は、地震が発生した場合に災害情報提供サーバ４０により送信された地震情報を受信して、広告配信サーバ９０にその地震情報を転送するサーバ装置である。
【００５８】
広告配信サーバ９０は、ウェブサーバ７０ａ〜７０ｃからバナー広告の送信要求をユーザの識別情報や属性情報とともに受け付けた場合に、ユーザの属性に対応するバナー広告をウェブサーバ７０ａ〜７０ｃに出力するサーバ装置である。
【００５９】
また、この広告配信サーバ９０は、災害情報受信サーバ８０から地震情報を受信した場合に、地震情報を表示する地震情報バナーを生成する。そして、広告配信サーバ９０は、ウェブサーバ７０ａ〜７０ｃからバナー広告の送信要求を受け付けた場合に、バナー広告のデータを送信する代わりに、地震情報バナーのデータを送信する処理をおこなう。
【００６０】
広告配信サーバ９０は、通信処理部９１、入力部９２、表示部９３、記憶部９４、および、制御部９５を有する。
【００６１】
通信処理部９１は、ＬＡＮ１００を介して、他の装置との間でデータ通信をおこなう通信処理部である。入力部９２は、キーボードやマウスなどの入力デバイスである。表示部９３は、ディスプレイなどの表示デバイスである。
【００６２】
記憶部９４は、メモリやハードディスク装置などの記憶デバイスである。この記憶部９４は、ユーザ属性データ９４ａ、バナー広告データ９４ｂ、災害データ９４ｃ、災害情報バナーデータ９４ｄを記憶している。
【００６３】
ユーザ属性データ９４ａは、ウェブサーバ７０ａ〜７０ｃから受信したバナー広告の送信要求にCookie情報として含まれていたユーザの氏名、年齢、生年月日、居住地域、電話番号、職業などのユーザの属性情報をユーザを識別する識別情報と対応付けて記憶したものである。
【００６４】
バナー広告データ９４ｂは、広告主により作成されたバナー広告のデータを記憶したものである。バナー広告のデータは、ユーザの属性に対応付けて記憶されている。災害データ９４ｃは、災害情報受信サーバ８０から受信した地震情報を記憶したものである。
【００６５】
また、災害情報バナーデータ９４ｄは、地震情報を表示する地震情報バナーを記憶したものである。地震情報バナーのデータは、ユーザの属性に対応付けて記憶されている。
【００６６】
制御部９５は、広告配信サーバ９０を全体制御する制御部であり、各機能部間のデータの授受などを司る。この制御部９５は、属性情報管理部９５ａ、バナー出力部９５ｂ、および、災害情報バナー生成部９５ｃを有する。
【００６７】
属性情報管理部９５ａは、ウェブサーバ７０ａ〜７０ｃから受信したバナー広告の送信要求にCookie情報として含まれていた属性情報とユーザの識別情報とを取得して、取得した属性情報と識別情報とを記憶部９４にユーザ属性データ９４ａとして記憶させる情報管理部である。
【００６８】
また、属性情報管理部９５ａは、つぎに説明するバナー出力部９５ｂからのユーザの属性情報の参照要求をユーザの識別情報とともに受け付けた場合に、ユーザ属性データ９４ａを記憶部９４から読み出して、識別情報に対応するユーザの属性情報をバナー出力部９５ｂに出力する。
【００６９】
バナー出力部９５ｂは、ウェブサーバ７０ａ〜７０ｃからバナー広告の送信要求をユーザの識別情報とともに受け付けた場合に、ユーザの属性情報の出力要求をユーザの識別情報とともに属性情報管理部９５ａに出力し、属性情報管理部９５ａにより出力された属性情報を受け付ける処理をおこなう。
【００７０】
そして、バナー出力部９５ｂは、受け付けた属性情報に基づいて、記憶部９４に記憶されたバナー広告データ９４ｂの中から、ユーザの属性に対応するバナー広告を選択し、選択したバナー広告をウェブサーバ７０ａ〜７０ｃに出力する。
【００７１】
また、このバナー出力部９５ｂは、災害情報受信サーバ８０から地震情報を受信した場合に、ユーザの属性に応じた地震情報バナーをバナー広告の代わりにウェブサーバ７０ａ〜７０ｃに出力する処理をおこなう。
【００７２】
たとえば、バナー出力部９５ｂは、ユーザの居住地域が地震の震源に近い場合には、避難場所の情報などを含んだ地震情報バナーをユーザの属性情報に対応する地震情報バナーとしてウェブサーバ７０ａ〜７０ｃに出力する。
【００７３】
また、ユーザの職業が漁業関係である場合には、バナー出力部９５ｂは、津波の情報なども含んだ地震情報バナーをユーザの属性情報に対応する地震情報バナーとしてウェブサーバ７０ａ〜７０ｃに出力する。
【００７４】
さらに、ユーザの職業が鉄道関係である場合には、バナー出力部９５ｂは、鉄道路線に沿った震度の情報などを含んだ地震情報バナーをユーザの属性情報に対応する地震情報バナーとしてウェブサーバ７０ａ〜７０ｃに出力する。
【００７５】
なお、ユーザの居住地域が地震が発生した地域から所定の距離以上離れている場合には、バナー出力部９５ｂは、地震情報バナーをウェブサーバ７０ａ〜７０ｃに出力せず、通常のバナー広告を出力する。
【００７６】
災害情報バナー生成部９５ｃは、災害情報受信サーバ８０から地震情報を受信した場合に、地震情報を表示する地震情報バナーを生成する生成部である。この災害情報バナー生成部９５ｃは、上述したようなユーザのさまざまな属性に対応する地震情報バナーを生成し、生成した地震情報バナーをユーザの属性情報と対応付けて、記憶部９４に災害情報バナーデータ９４ｄとして記憶させる。
【００７７】
つぎに、本実施例１に係る広告配信サーバ９０がおこなう地震情報バナー／バナー広告出力処理の処理手順について説明する。図５は、本実施例１に係る広告配信サーバ９０がおこなう地震情報バナー／バナー広告出力処理の処理手順を示すフローチャートである。
【００７８】
図５に示すように、まず、広告配信サーバ９０の通信処理部９１は、ウェブサーバ７０ａ〜７０ｃからバナー広告の送信要求を受信するのを待ち受ける（ステップＳ１０１）。そして、バナー出力部９５ｂは、通信処理部９１がバナー広告の送信要求を受信したか否かを調べる（ステップＳ１０２）。
【００７９】
通信処理部９１がバナー広告の送信要求を受信していない場合には（ステップＳ１０２，Ｎｏ）、ステップＳ１０１に移行し、通信処理部９１は、ウェブサーバ７０ａ〜７０ｃからバナー広告の送信要求を受信するのを待ち受ける。
【００８０】
通信処理部９１がバナー広告の送信要求を受信した場合には（ステップＳ１０２，Ｙｅｓ）、バナー出力部９５ｂは、災害情報受信サーバ８０から受信した地震情報があるか否かを調べる（ステップＳ１０３）。
【００８１】
地震情報がある場合には（ステップＳ１０３，Ｙｅｓ）、バナー出力部９５ｂは、ユーザの居住地域や職業などの属性情報を取得し、地震情報がユーザの属性に対応するものであるか否かを調べる（ステップＳ１０４）。
【００８２】
具体的には、バナー出力部９５ｂは、地震の震源がユーザの居住地域に近いか否か、ユーザの職業が漁業関係である場合に、地震の情報に津波の情報が含まれているか否か、あるいは、ユーザの職業が鉄道関係である場合に、地震の情報に鉄道路線に沿った震度の情報が含まれているか否かなどの基準に基づいて、地震情報がユーザの属性に対応するものであるか否かを調べる。
【００８３】
地震情報がユーザの属性に対応するものである場合には（ステップＳ１０４，Ｙｅｓ）、災害情報バナー生成部９５ｃは、ユーザの属性に対応し、ウェブページに埋め込む地震情報バナーを生成し、生成した地震情報バナーを記憶部９４に災害情報バナーデータ９４ｄとして記憶する（ステップＳ１０５）。
【００８４】
そして、バナー出力部９５ｂは、災害情報バナーデータ９４ｄとして記憶された地震情報バナーをウェブサーバ７０ａ〜７０ｃに送信し（ステップＳ１０６）、この地震情報バナー／バナー広告出力処理を終了する。
【００８５】
ステップＳ１０３において、地震情報がない場合（ステップＳ１０３，Ｎｏ）、または、ステップＳ１０４において、地震情報がユーザの属性に対応するものでない場合には（ステップＳ１０４，Ｎｏ）、バナー出力部９５ｂは、ウェブサーバ７０ａ〜７０ｃに送信するバナー広告があるか否かを調べる（ステップＳ１０７）。
【００８６】
バナー広告がある場合には（ステップＳ１０７，Ｙｅｓ）、バナー出力部９５ｂは、ウェブページに埋め込むバナー広告をウェブサーバ７０ａ〜７０ｃに送信し（ステップＳ１０８）、この地震情報バナー／バナー広告出力処理を終了する。
【００８７】
バナー広告がない場合には（ステップＳ１０７，Ｎｏ）、バナー出力部９５ｂは、バナー広告が無いことを示す応答メッセージをウェブサーバ７０ａ〜７０ｃに送信し（ステップＳ１０９）、この地震情報バナー／バナー広告出力処理を終了する。
【００８８】
つぎに、本実施例１に係るウェブサーバ７０ａ〜７０ｃがおこなう地震情報バナーが埋め込まれたウェブページ出力処理の処理手順について説明する。図６は、本実施例１に係るウェブサーバ７０ａ〜７０ｃがおこなう地震情報バナーが埋め込まれたウェブページ出力処理の処理手順を示すフローチャートである。
【００８９】
ここでは、図５で説明した処理手順にしたがって広告配信サーバ９０により生成された地震情報バナーをウェブサーバ７０ａ〜７０ｃが受信した場合に、ウェブサーバ７０ａ〜７０ｃがおこなう処理について説明する。
【００９０】
図６に示すように、まず、ウェブサーバ７０ａ〜７０ｃは、広告配信サーバ９０から受信した地震情報バナーがバナー広告の代わりに埋め込まれたウェブページを、ウェブページの送信要求をおこなったインターネット端末３０ａ〜３０ｃに出力する（ステップＳ２０１）。
【００９１】
そして、ウェブサーバ７０ａ〜７０ｃは、インターネット端末３０ａ〜３０ｃに出力したウェブページ上の地震情報バナーが、ユーザによるマウス等の操作によりクリックされたか否かを調べる（ステップＳ２０２）。
【００９２】
地震情報バナーがクリックされた場合には（ステップＳ２０２，Ｙｅｓ）、地震情報バナーのリンク先であるウェブサーバ７０ａ〜７０ｃは、地震の詳細情報を出力し（ステップＳ２０３）、このウェブページ出力処理を終了する。
【００９３】
地震情報バナーがクリックされなかった場合には（ステップＳ２０２，Ｎｏ）、そのままこのウェブページ出力処理を終了する。
【００９４】
上述してきたように、本実施例１では、広告配信サーバ９０の災害情報バナー生成部９５ｃが、地震情報を含み、ウェブページに表示されるバナー広告の位置にバナー広告と切り替えられて表示される地震情報バナーを生成し、記憶部９４が、災害情報バナー生成部９５ｃにより生成された地震情報バナーを災害情報バナーデータ９４ｄとして記憶し、バナー出力部９５ｂが、記憶部９４に記憶された地震情報バナーをバナー広告と切り替えて出力することとしたので、バナー広告を出力するのと同様にして地震情報バナーを出力することができ、地震が発生した場合に、ユーザに地震に係る情報を迅速かつ効率的に提供することができる。
【００９５】
また、本実施例１では、バナー出力部９５ｂが、ユーザの属性情報に応じた災害情報コンテンツを出力することとしたので、ユーザの属性に応じて、ユーザに適した地震情報バナーを出力することができる。
【００９６】
また、本実施例１では、上記属性情報は、居住地域に係る情報であることとしたので、地震発生地域とユーザの居住地域との間の距離などに応じて、ユーザに適した地震情報バナーを出力することができる。
【００９７】
また、本実施例１では、上記属性情報は、職業に係る情報であることとしたので、ユーザの職業に応じて情報の種類などを変えることにより、ユーザに適した地震情報バナーを出力することができる。
【００９８】
また、本実施例１では、上記地震情報バナーは、ユーザによりクリックされた場合に、地震情報を含んだウェブページが出力されるように当該ウェブページにリンクが張られたバナーであることとしたので、詳細情報などが必要な場合にのみユーザに地震情報バナーをクリックさせて、所定のウェブページにアクセスさせることにより、ウェブページの閲覧サービスを提供するウェブサーバへのアクセス数を減らし、ウェブサーバの負荷を低減させることができる。
【００９９】
また、本実施例１では、バナーを用いて地震情報を表示することとしたので、バナー広告を出力するのと同様にして地震情報を出力することができ、地震が発生した場合に、ユーザに地震に係る情報を迅速かつ効率的に提供することができる。同様に台風、津波、洪水などあらゆる災害情報を提供することが可能となる。
【実施例２】
【０１００】
ところで、上記実施例１では、ユーザの属性情報に基づいてユーザに適した災害情報コンテンツを出力することとしたが、ユーザの現在地を特定し、その現在地に応じた災害情報コンテンツを出力することとしてもよい。そこで、本実施例２では、ユーザの現在地に応じた災害情報コンテンツを出力する場合について説明する。
【０１０１】
図７は、複数のバナー広告１０，１２，１４，１６が表示されたウェブページ１７の一例を示す図である。図７に示すように、バナー広告１０，１２，１４，１６はそれぞれウェブページ１７の所定の位置に表示されている。
【０１０２】
本実施例２においては、地震が発生すると、地震情報を含んだ地震情報バナーが生成され、地震情報バナーがバナー広告と切り替えられて、図１に示したような各カテゴリに属するウェブページに配信される。また、一部のバナー広告については、災害地の中継映像がバナー広告と切り替えられて、各カテゴリに属するウェブページに配信される。
【０１０３】
図８は、複数の地震情報バナー２０，２２，２４および中継映像２６が表示されたウェブページ２７の一例を示す図である。図８に示すように、地震が発生すると、その地震の規模が大きいなど災害情報の発信に緊急を要する場合には、地震情報バナー２０のほかに、地震情報バナー２２，２４が生成され、図７に示したバナー広告１０，１２，１４が表示されていた位置に、生成された地震情報バナー２０，２２，２４がバナー広告１０，１２，１４の代わりに表示される。
【０１０４】
これらの地震情報バナー２０，２２，２４のうち上段に位置する地震情報バナー２０には、図３に示した場合と同様に居住地域や職業などの属性情報に応じた地震情報が表示されるが、右側に位置する地震情報バナー２２，２４には、ユーザの現在地に応じた現在地周辺の詳細な地震情報が表示される。例えば、右側上段の地震情報バナー２２にはウェブページ２７を閲覧するユーザの現在地周辺の地域での震度が表示され、右側中段の地震情報バナー２４にはユーザの現在地から最寄りの避難場所を示す地図が表示される。
【０１０５】
なお、現在地周辺の詳細な地震情報としては、周辺地域の震度、最寄りの避難場所を示す地図のほか、周辺地域の注意報・警報、道路交通情報、鉄道の運行状況、火災や崖崩れなどの二次災害のおそれがある地点の表示など、さまざまな情報であってもよい。
【０１０６】
また、図８に示すように、地震が発生すると、ユーザの現在地周辺に設置された定点カメラにより撮影される中継映像２６が、図７に示した右側下段のバナー広告１６の代わりに表示される。
【０１０７】
なお、地震情報バナー２０，２２，２４は、詳細な地震情報を提供する機関のウェブページとリンクが張られている。すなわち、この地震情報バナー２０，２２，２４が、ユーザによるマウス等の操作によりクリックされると、詳細な地震情報が掲載されたウェブページにジャンプし、詳細な地震情報が表示される。
【０１０８】
つぎに、本実施例２に係る災害情報出力システムの機能構成について説明する。図９は、本実施例２に係る災害情報出力システムの機能構成を示す図である。
【０１０９】
図９に示すように、この災害情報出力システムは、インターネット端末３０ａ〜３０ｃ、災害情報提供サーバ４０、カメラ１３０ａ〜１３０ｃ、広告配信システム１５０がインターネット６０を介して接続されている。
【０１１０】
インターネット端末３０ａ〜３０ｃ、災害情報提供サーバ４０、ウェブサーバ７０ａ〜７０ｃ、災害情報受信サーバ８０は、図４で説明したインターネット端末３０ａ〜３０ｃ、災害情報提供サーバ４０、ウェブサーバ７０ａ〜７０ｃ、災害情報受信サーバ８０と同様の装置であり、同一の符号を付している。
【０１１１】
カメラ１３０ａ〜１３０ｃは、測候所などに備えられた定点カメラであり、このカメラ１３０ａ〜１３０ｃは図示しない画像符号化装置を介してインターネット６０に接続されている。そして、地震が発生すると、カメラ１３０ａ〜１３０ｃにより撮影された映像が広告配信システム１５０を介してインターネット端末３０ａ〜３０ｃへとリアルタイムに配信される。
【０１１２】
この広告配信システム１５０における広告配信サーバ１９０は、通信処理部１９１、入力部１９２、表示部１９３、記憶部１９４、および、制御部１９５を有する。このうち、通信処理部１９１、入力部１９２、表示部１９３は、図４で説明した広告配信サーバ９０の通信処理部９１、入力部９２、表示部９３と同様の機能を有する機能部である。
【０１１３】
記憶部１９４は、メモリやハードディスク装置などの記憶デバイスである。この記憶部１９４は、ユーザ属性データ１９４ａ、バナー広告データ１９４ｂ、災害データ１９４ｃ、災害情報バナーデータ１９４ｄ、地域特定データ１９４ｅ、避難場所データ１９４ｆ、現在地災害情報バナーデータ１９４ｇ、地図データ１９４ｈ、カメラ設置点データ１９４ｉを記憶している。このうち、ユーザ属性データ１９４ａ、バナー広告データ１９４ｂ、災害データ１９４ｃ、災害情報バナーデータ１９４ｄは、図４で説明した記憶部９４のユーザ属性データ９４ａ、バナー広告データ９４ｂ、災害データ９４ｃ、災害情報バナーデータ９４ｄと同様のデータである。
【０１１４】
地域特定データ１９４ｅは、ユーザが利用するインターネット端末３０ａ〜３０ｃの現在地を一定の範囲内まで特定するために用いられるデータを記憶したものであり、例えば、インターネット端末３０ａ〜３０ｃがＰＨＳや携帯電話などの携帯情報端末である場合に、データを中継する基地局を識別する識別情報と、その基地局の設置位置の住所とが対応付けて記憶されている。
【０１１５】
インターネット端末３０ａ〜３０ｃの現在位置は、データ中継システムからインターネット端末３０ａ〜３０ｃが通信している基地局の識別情報を取得し、地域特定データ１９４ｅを参照してその識別情報に対応する基地局の設置位置の住所を検索することにより特定される。
【０１１６】
避難場所データ１９４ｆは、各地域における地震発生時の避難場所を記憶したものである。この避難場所データ１９４ｆには、各地域の住所と、その住所に対応する避難場所の住所とが対応付けて記憶されている。ここで、避難場所とは、自治体指定の避難場所や、学校や空き地など十分に安全が確保できる避難可能な場所などである。
【０１１７】
インターネット端末３０ａ〜３０ｃの現在位置が特定された場合には、その位置に対応する避難場所の情報が避難場所データ１９４ｆから検索され、インターネット端末３０ａ〜３０ｃに出力される避難場所の情報が特定される。
【０１１８】
現在地災害情報バナーデータ１９４ｇは、図８に地震情報バナー２２として示したような、ユーザの現在地に応じた現在地周辺の詳細な地震情報を表示する地震情報バナーをユーザを識別する識別情報と対応付けて記憶したものである。この現在地災害情報バナーデータ１９４ｇは、ユーザの現在地が特定された場合に、そのユーザに対する出力用に生成された地震情報バナーである。
【０１１９】
地図データ１９４ｈは、避難場所データ１９４ｆに対応する避難場所の周辺の道路地図を示す画像データを、避難場所の住所の情報と対応付けて記憶したものである。この道路地図には、避難場所が記されているほか、二次災害のおそれがある危険な場所についても記されている。
【０１２０】
そして、インターネット端末３０ａ〜３０ｃの現在位置に対応する避難場所の住所が特定された場合には、その住所に対応する画像データが地図データ１９４ｈから読み出され、図８に示したような地震情報バナー２４が生成されてインターネット端末３０ａ〜３０ｃに出力される。
【０１２１】
カメラ設置点データ１９４ｉは、カメラ１３０ａ〜１３０ｃを識別する識別情報とカメラ１３０ａ〜１３０ｃが設置された地点の住所に関する情報とを対応付けて記憶したものである。
【０１２２】
地震が発生した場合には、ユーザ属性データ９４ａにあらかじめ登録されたユーザの居住地域に最も近い場所に設置されたカメラ１３０ａ〜１３０ｃがカメラ設置点データ１９４ｉを用いて選択され、そのカメラ１３０ａ〜１３０ｃにより撮影された映像が図８に示したような中継映像２６としてインターネット端末３０ａ〜３０ｃに出力される。
【０１２３】
制御部１９５は、広告配信サーバ１９０を全体制御する制御部であり、各機能部間のデータの授受などを司る。この制御部１９５は、属性情報管理部１９５ａ、バナー出力部１９５ｂ、災害情報バナー生成部１９５ｃ、地域特定部１９５ｄ、および、映像出力部１９５ｅを有する。このうち、属性情報管理部１９５ａは、図４で説明した制御部９５の属性情報管理部９５ａと同様の機能を有する機能部である。
【０１２４】
バナー出力部１９５ｂは、図４で説明したバナー出力部９５ｂの機能のほかに、さらにユーザの現在地を示す情報に応じて、現在地周辺の地域での震度や、最寄りの避難場所を示した地図などの情報を含んだ地震情報バナーを、その現在地を示す情報に対応する地震情報バナーとしてウェブサーバ７０ａ〜７０ｃに出力する。
【０１２５】
災害情報バナー生成部１９５ｃは、図４で説明した災害情報バナー生成部９５ｃの機能のほかに、さらにユーザの現在地周辺の震度が所定値よりも大きいなどユーザの現在地周辺での災害情報の発信に緊急を要すると判断される場合に、ユーザの現在地から最も近い避難場所を避難場所データ１９４ｆから抽出する。
【０１２６】
そして、災害情報バナー生成部１９５ｃは、その抽出された避難場所の周辺の道路地図を地図データ１９４ｈから取得し、避難場所が記された地図を示す地震情報バナー２４を生成し、ユーザを識別する識別情報と対応付けて記憶部１９４に現在地災害情報バナーデータ１９４ｇとして記憶させる。
【０１２７】
また、災害情報バナー生成部１９５ｃは、周辺地域の震度などユーザの現在地を示す情報に対応する地震情報を示す地震情報バナー２２を生成し、ユーザを識別する識別情報と対応付けて、記憶部１９４に現在地災害情報バナーデータ１９４ｇとして記憶させる。
【０１２８】
地域特定部１９５ｄは、ユーザの現在地を一定の範囲内まで特定する処理部である。この地域特定部１９５ｄは、例えば、インターネット端末３０ａ〜３０ｃがＰＨＳや携帯電話などの携帯情報端末である場合に、データを中継する基地局を識別する識別情報をデータ中継システムから取得し、記憶部１９４の地域特定データ１９４ｅを参照してその識別情報に対応する基地局の設置位置の住所を特定することで、ユーザの現在地を一定の範囲内まで特定する。
【０１２９】
この地域特定部１９５ｄが特定する現在地の精度としては、避難場所データ１９４ｆに記憶された避難場所の中から最寄りの避難場所を特定できる程度の精度であればよく、好ましくは市町村レベルまで、より好ましくは半径１ｋｍ以内の精度で特定する。例えば、ＰＨＳの場合は、基地局を特定することで、ユーザの現在地をおよそ半径１００ｍ〜５００ｍの範囲内まで特定することができる。
【０１３０】
なお、ユーザの現在地を特定する手段としては、基地局の設置位置に限定されず、さまざまな方法であってよい。例えば、インターネット端末３０ａ〜３０ｃにＩＳＰ（Internet Service Provider）により地域ごとに割り当てられたＩＰアドレスからユーザの現在地を特定することとしてもよいし、インターネット端末３０ａ〜３０ｃに搭載されたＧＰＳ（Global Positioning System）機能によりユーザの現在地を特定することとしてもよい。また、ウェブサーバ７０ａ〜７０ｃがインターネット端末３０ａ〜３０ｃから受け付けるデータの送信要求のなかにCookie情報としてユーザの現在地に関する情報を含ませることで、ユーザの現在地を特定することとしてもよい。
【０１３１】
また、地域特定部１９５ｄは、ユーザからウェブページの更新要求を受け付けるたびにユーザの現在地を特定する処理をおこない、ユーザの現在地の変更が検出されると、バナー出力部１９５ｂおよび災害情報バナー生成部１９５ｃはその変更後の現在地に基づいて各処理を再実行する。
【０１３２】
映像出力部１９５ｅは、地震が発生した後、インターネット端末３０ａ〜３０ｃから図８に示したようなウェブページ２７の出力要求を受け付けた場合に、所定の場所に設置されたカメラ１３０ａ〜１３０ｃが撮影した映像を取得し、その映像をインターネット端末３０ａ〜３０ｃに中継映像２６として出力する。
【０１３３】
具体的には、映像出力部１９５ｅは、ウェブページ２７の出力要求を送信したインターネット端末３０ａ〜３０ｃを操作するユーザの居住地域の情報をユーザ属性データ９４ａから取得する。
【０１３４】
そして、映像出力部１９５ｅは、ユーザの居住地域に最も近い場所に設置されたカメラ１３０ａ〜１３０ｃをカメラ設置点データ１９４ｉを参照することにより選択し、そのカメラ１３０ａ〜１３０ｃにより撮影された映像を中継映像２６として図７に示したバナー広告１６と切り替えてインターネット端末３０ａ〜３０ｃに出力する。
【０１３５】
なお、中継映像を配信するカメラ１３０ａ〜１３０ｃを１つのみに固定せず、カメラ１３０ａ〜１３０ｃの中からユーザの居住地域から一定の範囲内にあるカメラ１３０ａ〜１３０ｃを複数選択し、選択された複数のカメラ１３０ａ〜１３０ｃの中から一定時間が経過するごとに中継映像の配信元となるカメラ１３０ａ〜１３０ｃを順次切り替えてユーザに配信する構成としてもよい。
【０１３６】
つぎに、本実施例２に係る広告配信サーバ１９０がおこなう地震情報バナー／バナー広告出力処理の処理手順について説明する。図１０は、本実施例に係る広告配信サーバ１９０がおこなう地震情報バナー／バナー広告出力処理の処理手順を示すフローチャートである。
【０１３７】
図１０に示すように、まず、広告配信サーバ１９０の通信処理部１９１は、ウェブサーバ７０ａ〜７０ｃからバナー広告の送信要求を受信するのを待ち受ける（ステップＳ３０１）。そして、バナー出力部１９５ｂは、通信処理部１９１がバナー広告の送信要求を受信したか否かを調べる（ステップＳ３０２）。
【０１３８】
通信処理部１９１がバナー広告の送信要求を受信していない場合には（ステップＳ３０２，Ｎｏ）、ステップＳ３０１に移行し、通信処理部１９１は、ウェブサーバ７０ａ〜７０ｃからバナー広告の送信要求を受信するのを待ち受ける。
【０１３９】
通信処理部１９１がバナー広告の送信要求を受信した場合には（ステップＳ３０２，Ｙｅｓ）、バナー出力部１９５ｂは、災害情報受信サーバ８０から受信した地震情報があるか否かを調べる（ステップＳ３０３）。
【０１４０】
地震情報がある場合には（ステップＳ３０３，Ｙｅｓ）、地域特定部１９５ｄは、地域特定データ１９４ｅを参照してユーザの現在地を一定の範囲内まで特定する（ステップＳ３０４）。そして、バナー出力部１９５ｂは、地域特定部１９５ｄにより特定されたユーザの現在地周辺の震度が所定値よりも大きいか否かを調べることで、災害情報の発信に緊急を要するか否かを判定する（ステップＳ３０５）。
【０１４１】
ユーザの現在地周辺の震度が所定値よりも大きい場合には（ステップＳ３０５，Ｙｅｓ）、制御部１９５は、複数の地震情報バナーおよび中継映像をバナー広告と切り替える処理をおこなう。すなわち、バナー出力部１９５ｂは、ユーザの属性情報を取得し（ステップＳ３０６）、災害情報バナー生成部１９５ｃは、ユーザの属性に対応する地震情報バナーを作成するとともに、ユーザの現在地に対応する避難場所などの地震情報バナーを生成し、生成したこれらの地震情報バナーを記憶部１９４に災害情報バナーデータ１９４ｄおよび現在地災害情報バナーデータ１９４ｇとして記憶する（ステップＳ３０７）。
【０１４２】
その後、映像出力部１９５ｅは、カメラ１３０ａ〜１３０ｃの中からユーザの居住地域に最も近い場所に設置されたカメラを選択して、そのカメラからの中継映像をウェブサーバ７０ａ〜７０ｃに配信する（ステップＳ３０８）。
【０１４３】
そして、バナー出力部１９５ｂは、災害情報バナーデータ１９４ｄおよび現在地災害情報バナーデータ１９４ｇとして記憶された複数の地震情報バナーをウェブサーバ７０ａ〜７０ｃに送信し（ステップＳ３０９）、この地震情報バナー／バナー広告出力処理を終了する。
【０１４４】
ステップＳ３０５において、ユーザの現在地周辺の震度が所定値以下である場合には（ステップＳ３０５，Ｎｏ）、制御部１９５は、実施例１で説明したのと同様にして、図７に示したような一部のバナー広告１０のみを、図８に示したようなユーザの属性に対応する地震情報バナー２０と切り替える処理をおこなう。すなわち、バナー出力部１９５ｂは、ユーザの属性情報を取得し、地震情報がユーザの属性に対応するものであるか否かを調べる（ステップＳ３１０）。
【０１４５】
地震情報がユーザの属性に対応するものである場合には（ステップＳ３１０，Ｙｅｓ）、災害情報バナー生成部１９５ｃは、そのユーザの属性に対応する地震情報バナーを生成し、生成した地震情報バナーを記憶部１９４に災害情報バナーデータ１９４ｄとして記憶する（ステップＳ３１１）。そして、バナー出力部１９５ｂは、災害情報バナーデータ１９４ｄとして記憶された地震情報バナーをウェブサーバ７０ａ〜７０ｃに送信し（ステップＳ３１２）、この地震情報バナー／バナー広告出力処理を終了する。
【０１４６】
ステップＳ３０３において、地震情報がない場合（ステップＳ３０３，Ｎｏ）、または、ステップＳ３１０において、地震情報がユーザの属性に対応するものでない場合には（ステップＳ３１０，Ｎｏ）、バナー出力部１９５ｂは、ウェブサーバ７０ａ〜７０ｃに送信するバナー広告があるか否かを調べる（ステップＳ３１３）。
【０１４７】
バナー広告がある場合には（ステップＳ３１３，Ｙｅｓ）、バナー出力部１９５ｂは、ウェブページに埋め込むバナー広告をウェブサーバ７０ａ〜７０ｃに送信し（ステップＳ３１４）、この地震情報バナー／バナー広告出力処理を終了する。
【０１４８】
バナー広告がない場合には（ステップＳ３１３，Ｎｏ）、バナー出力部１９５ｂは、バナー広告が無いことを示す応答メッセージをウェブサーバ７０ａ〜７０ｃに送信し（ステップＳ３１５）、この地震情報バナー／バナー広告出力処理を終了する。
【０１４９】
なお、本実施例２に係るウェブサーバ７０ａ〜７０ｃがおこなう地震情報バナーが埋め込まれたウェブページ出力処理の処理手順については、図６で説明した処理手順と同様であるのでその詳細な説明を省略する。
【０１５０】
上述してきたように、本実施例２では、広告配信サーバ１９０の地域特定部１９５ｄが、ユーザの現在地を特定し、災害情報バナー生成部１９５ｃが、地域特定部１９５ｄにより特定された現在地に応じた地震情報を含む地震情報バナーを生成することとしたので、ユーザの現在地に応じて、ユーザに適した地震情報バナーを提供することができる。
【０１５１】
また、本実施例２では、上記地震情報バナーは、避難場所の地図を少なくとも含むこととしたので、ユーザの現在地に応じて、ユーザに適した避難場所を報知することができる。
【０１５２】
また、本実施例２では、バナー出力部１９５ｂが、ウェブページに複数のバナー広告がある場合に、記憶部１９４により記憶されたそれぞれ異なる複数の地震情報バナーを各バナー広告と切り替えて出力することとしたので、地震が発生した場合に、地震に係る多様な情報をユーザに迅速かつ効率的に提供することができる。
【０１５３】
以上、上記実施例において、災害情報出力処理をコンピュータ上で実現する場合について説明してきたが、災害情報出力処理を実現するためのプログラムをコンピュータ読み取り可能な記録媒体に記録して、この記録媒体に記録されたプログラムをコンピュータに読み込ませ、実行することにより災害情報出力処理を実現してもよい。
【０１５４】
図１１は、災害情報出力処理を実現するコンピュータ２００のハードウェア構成を示すブロック図である。図１１に示すように、このコンピュータ２００は、上記プログラムを実行するＣＰＵ２１０と、データを入力する入力装置２２０と、各種データを記憶するＲＯＭ２３０と、演算パラメータ等を記憶するＲＡＭ２４０と、災害情報出力処理を実現するためのプログラムを記録した記録媒体３００からプログラムを読み取る読取装置２５０と、ディスプレイ等の出力装置２６０と、ネットワーク４００を介して他のコンピュータとの間でデータの授受をおこなうネットワークインターフェース２７０とが、バス２８０で接続された構成となっている。
【０１５５】
ＣＰＵ２１０は、読取装置２５０を経由して記録媒体３００に記録されているプログラムを読み込んだ後、プログラムを実行することにより、災害情報出力処理を実現する。なお、記録媒体３００としては、光ディスク、フレキシブルディスク、ＣＤ−ＲＯＭ、ハードディスク等が挙げられる。また、このプログラムは、ネットワーク４００を介してコンピュータ２００に導入することとしてもよい。
【０１５６】
さて、これまで本発明の実施例について説明したが、本発明は上述した実施例以外にも、特許請求の範囲に記載した技術的思想の範囲内において種々の異なる実施例にて実施されてもよいものである。
【０１５７】
たとえば、上記実施例では、画像データからなるバナー広告と切り替えて地震情報バナーを出力することとしたが、本発明はこれに限定されるものではなく、テキストデータからなるテキスト広告と切り替えて、テキスト形式の地震情報を出力することとしてもよい。
【０１５８】
また、上記実施例では、中継映像を配信するカメラとしてユーザの居住地域から最も近いカメラを選択することとしたが、災害情報提供サーバ４０から取得した震源地の情報や、インターネット端末３０ａ〜３０ｃから送信されるCookie情報などに含まれる勤務地などの情報に基づいて、震源地や勤務先に最も近いカメラなどを選択して中継映像を配信することとしてもよい。
【０１５９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１６０】
この他、上記文書中や図面中で示した処理手順、制御手順、具体的名称、各種のデータやパラメータを含む情報については、特記する場合を除いて任意に変更することができる。
【０１６１】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６２】
さらに、各装置にて行なわれる処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１６３】
以上のように、本発明に係る災害情報出力プログラム、災害情報出力装置、および、災害情報出力方法は、地震や津波などの災害が発生した場合に、ユーザに災害に係る情報を迅速かつ効率的に提供することが必要な災害情報出力システムに有用である。
【図面の簡単な説明】
【０１６４】
【図１】本発明に係る災害情報出力処理の概念について説明する図である。
【図２】バナー広告１０が表示されたウェブページ１１の一例を示す図である。
【図３】地震情報バナー２０が表示されたウェブページ２１の一例を示す図である。
【図４】本実施例１に係る災害情報出力システムの機能構成を示す図である。
【図５】本実施例１に係る広告配信サーバ９０がおこなう地震情報バナー／バナー広告出力処理の処理手順を示すフローチャートである。
【図６】本実施例１に係るウェブサーバ７０ａ〜７０ｃがおこなう地震情報バナーが埋め込まれたウェブページ出力処理の処理手順を示すフローチャートである。
【図７】複数のバナー広告１０，１２，１４，１６が表示されたウェブページ１７の一例を示す図である。
【図８】複数の地震情報バナー２０，２２，２４および中継映像２６が表示されたウェブページ２７の一例を示す図である。
【図９】本実施例２に係る災害情報出力システムの機能構成を示す図である。
【図１０】本実施例２に係る広告配信サーバ１９０がおこなう地震情報バナー／バナー広告出力処理の処理手順を示すフローチャートである。
【図１１】災害情報出力処理を実現するコンピュータ２００のハードウェア構成を示すブロック図である。
【符号の説明】
【０１６５】
１０，１２，１４，１６    バナー広告
１１，１７，２１，２７    ウェブページ
２０，２２，２４    地震情報バナー
２６    中継映像
３０ａ〜３０ｃ    インターネット端末
４０    災害情報提供サーバ
５０，１５０    広告配信システム
６０    インターネット
７０ａ〜７０ｃ    ウェブサーバ
８０    災害情報受信サーバ
９０，１９０    広告配信サーバ
９１，１９１    通信処理部
９２，１９２    入力部
９３，１９３    表示部
９４，１９４    記憶部
９４ａ，１９４ａ    ユーザ属性データ
９４ｂ，１９４ｂ    バナー広告データ
９４ｃ，１９４ｃ    災害データ
９４ｄ，１９４ｄ    災害情報バナーデータ
９５，１９５    制御部
９５ａ，１９５ａ    属性情報管理部
９５ｂ，１９５ｂ    バナー出力部
９５ｃ，１９５ｃ    災害情報バナー生成部
１００    ＬＡＮ
１３０ａ〜１３０ｃ    カメラ
１９４ｅ    地域特定データ
１９４ｆ    避難場所データ
１９４ｇ    現在地災害情報バナーデータ
１９４ｈ    地図データ
１９４ｉ    カメラ設置点データ
１９５ｄ    地域特定部
１９５ｅ    映像出力部
【図１】
0004847763.tif 000002
【図２】
0004847763.tif 000003
【図３】
0004847763.tif 000004
【図４】
0004847763.tif 000005
【図５】
0004847763.tif 000006
【図６】
0004847763.tif 000007
【図７】
0004847763.tif 000008
【図８】
0004847763.tif 000009
【図９】
0004847763.tif 000010
【図１０】
0004847763.tif 000011
【図１１】
0004847763.tif 000012